(57)【要約】      （修正有）【課題】一枚のダンボール板から作られるダンボール箱であって、その強度、特に、２重底となる底板の強度を高める組立式収納箱を提供する。【解決手段】ダンボール箱の底は、底板１と、その上に重ねられる左、右内底板７ｌ，７ｒとで２重底に形成され、左、右内底板７ｌ，７ｒの一辺には、雄部Ｍと雌部Ｆとが形成され、左、右内底板７ｌ，７ｒは、底板１上に重ね合わされるとき雄部Ｍと雌部Ｆとが相互に嵌合して分離しないようにする。【選択図】図７
0003142249.tif 000002
【実用新案登録請求の範囲】
【請求項１】
一枚の板材（Ｐ）よりなる組立式収納箱であって、
一枚の板材（Ｐ）には、
底板（１）と、
前記底板（１）に折り線（Ｂ２，Ｂ３）を介して接続される前側板（２）および後側板（３）と、
前記前側板（２）に折り線（Ｂ４，Ｂ４）を介して接続される左、右内側板（４，４）と、
前記後側板（３）に折り線（Ｂ５，Ｂ５）を介して接続される左、右外側板（５，５）と、
前記左、右外側板（５，５）に折り線（Ｂ７，Ｂ７）を介して接続される、左、右内底板（７ｌ，７ｒ）と、
前記前側板（２）に折り線（Ｂ８）を介して接続される蓋板（８）と、
が一平面状に形成されており、
左、右外側板（５，５）は、折り線（Ｂ５，Ｂ５）を介して後側板（３）に対して略直角に折り曲げられると共に、左、右内底板（７ｌ，７ｒ）は折り線（Ｂ７，Ｂ７）を介して左、右外側板（５，５）に対して直角に折り曲げられ、
後側板（３）は、底板（１）に対して折り線（Ｂ３）を介して略直角に折り曲げられて前記左、右内底板（７ｌ，７ｒ）は底板（１）上に重ね合わされ、
左、右内側板（４，４）は折り線（Ｂ４，Ｂ４）を介して前側板（２）もしくは後側板（３）に対して略直角に折り曲げられ、
前記前側板（２）は底板（１）に対して折り線（Ｂ２）を介して略直角に折り曲げられて前記左、右内側板（４，４）は、前記左、右外側板（５，５）の内側に重ね合わされ、  前記蓋板（８）は前側板（２）に対して折り線（Ｂ８）を介して略直角に折り曲げられる組立式収納箱において、
前記左、右内底板（７ｌ，７ｒ）は、底板（１）の１／２の大きさに形成されて、それらの何れか一方の一辺に雄部（Ｍ）が、それらの他方の一辺にその雄部（Ｍ）に嵌合可能な雌部（Ｆ）がそれぞれ形成され、左、右内底板（７ｌ，７ｒ）が、底板（１）上に重ね合わされるとき、それらの一辺同士が衝き合わされて前記雄部（Ｍ）と雌部（Ｆ）とが相互に嵌合し、前記左、右内底板（７ｌ，７ｒ）が分離しないようにされていることを特徴とする、組立式収納箱。
【請求項２】
一枚の板材（Ｐ）よりなる組立式収納箱であって、
一枚の板材（Ｐ）には、
底板（１）と、
前記底板（１）に折り線（Ｂ２，Ｂ３）を介して接続される前側板（２）および後側板（３）と、
前記前側板（２）に折り線（Ｂ５，Ｂ５）を介して接続される左、右外側板（５，５）と、
前記後側板（３）に折り線（Ｂ４，Ｂ４）を介して接続される左、右内側板（４，４）と、
前記左、右外側板（５，５）に折り線（Ｂ７，Ｂ７）を介して接続される、左、右内底板（７ｌ，７ｒ）と、
前記前側板（２）に折り線（Ｂ８）を介して接続される蓋板（８）と、
が一平面状に形成されており、
左、右外側板（５，５）は、折り線（Ｂ５，Ｂ５）を介して前側板（２）に対して略直角に折り曲げられると共に、左、右内底板（７ｌ，７ｒ）は折り線（Ｂ７，Ｂ７）を介して左、右外側板（５，５）に対して直角に折り曲げられて底板（１）上に重ね合わされ、、
後側板（３）は、底板（１）に対して折り線（Ｂ３）を介して略直角に折り曲げられてて、左、右内側板（４，４）は折り線（Ｂ４，Ｂ４）を介して後側板（３）に対して略直角に折り曲げられ、
前記前側板（２）は底板（１）に対して折り線（Ｂ２）を介して略直角に折り曲げられて前記左、右外側板（５，５）は、前記左、右内側板（４，４）の外側に重ね合わされ、  前記蓋板（８）は前側板（２）に対して折り線（Ｂ８）を介して略直角に折り曲げられる組立式収納箱において、
前記左、右内底板（７ｌ，７ｒ）は、底板（１）の１／２の大きさに形成されて、それらの何れか一方の一辺に雄部（Ｍ）が、それらの他方の一辺にその雄部（Ｍ）に嵌合可能な雌部（Ｆ）がそれぞれ形成され、左、右内底板（７ｌ，７ｒ）が、底板（１）上に重ね合わされるとき、それらの一辺縁同士が衝き合わされて前記雄部（Ｍ）と雌部（Ｆ）とが相互に嵌合し、前記左、右内底板（７ｌ，７ｒ）が分離しないようにされていることを特徴とする、組立式収納箱。
【請求項３】
前記左、右内底板（７ｌ，７ｒ）の、雄部（Ｍ）あるいは雌部（Ｆ）を含む前後幅は、前記底板（１）の前後幅よりも短く形成されていることを特徴とする、前記請求項１または２の組立式収納箱。
【考案の詳細な説明】
【技術分野】
【０００１】
本考案は、組立時にテープ、ファスナ、接着剤などの接続手段が一切不要であり、組立、解体が簡単、容易であり、物の出し入れがし易く、かつ十分な強度を保有する組立式収納箱に関する。
【背景技術】
【０００２】
従来、一枚の板材より、テープ、接着剤、ファスナなどの接続手段を使用することなく、簡単容易に組み立てることができ、しかも組立、解体が容易であり、さらに解体によって素材を傷つけたり、損傷したりすることがなく再利用が可能であり、また、組み立て後に底板に切目ができることがなく、その切目を封緘するためのテープなども止め手段が不要であり、その上、強度の要求される底板、左、右側板をいずれも２重板として、組立の容易性と、材料の節減を図りながら、所望の強度をもつようにした組立式収納箱は公知である（後記特許文献１参照）。
【特許文献１】実用新案登録第３１３３６６８号
【考案の開示】
【考案が解決しようとする課題】
【０００３】
ところで、前記従来の組立式収納箱は、２枚の内底板が、底板上に重ね合わされて２重底とされているが、その収納箱内に収納される物品の種類や大きさ、その物品の収納状態によっては、２枚の内底板の衝き合わせ縁が分離することがあり、２重底板の強度が損なわれるという問題がある。
【０００４】
本考案はかかる実情に鑑みてなされたもので、前記問題を解決できるようにした、新規な組立式収納箱を提供することを目的とする。
【課題を解決するための手段】
【０００５】
前記目的を達成するために、請求項１記載の考案は、一枚の板材よりなる組立式収納箱であって、
一枚の板材には、底板と、前記底板に折り線を介して接続される前側板および後側板と、前記前側板に折り線を介して接続される左、右内側板と、前記後側板に折り線を介して接続される左、右外側板と、前記左、右外側板に折り線を介して接続される、左、右内底板と、前記前側板に折り線を介して接続される蓋板と、が一平面状に形成されており、左、右外側板は、折り線を介して後側板に対して略直角に折り曲げられると共に、左、右内底板は折り線を介して左、右外側板に対して直角に折り曲げられ、後側板は、底板に対して折り線を介して略直角に折り曲げられて前記左、右内底板は底板上に重ね合わされ、左、右内側板は折り線を介して前側板もしくは後側板に対して略直角に折り曲げられ、前記前側板は底板に対して折り線を介して略直角に折り曲げられて前記左、右内側板は、前記左、右外側板の内側に重ね合わされ、前記蓋板は前側板に対して折り線を介して略直角に折り曲げられる組立式収納箱において、
前記左、右内底板は、底板の１／２の大きさに形成されて、それらの何れか一方の一辺に雄部が、それらの他方の一辺にその雄部に嵌合可能な雌部がそれぞれ形成され、左、右内底板が、底板上に重ね合わされるとき、それらの一辺同士が衝き合わされて前記雄部と雌部とが相互に嵌合し、前記左、右内底板が分離しないようにされていることを特徴としている。
【０００６】
また、前記目的を達成するために、前記請求項２の考案は、一枚の板材よりなる組立式収納箱であって、一枚の板材には、底板と、前記底板に折り線を介して接続される前側板および後側板と、前記前側板に折り線を介して接続される左、右外側板と、前記後側板に折り線を介して接続される左、右内側板と、前記左、右外側板に折り線を介して接続される、左、右内底板と、前記前側板に折り線を介して接続される蓋板と、が一平面状に形成されており、左、右外側板は、折り線を介して前側板に対して略直角に折り曲げられると共に、左、右内底板は折り線を介して左、右外側板に対して直角に折り曲げられて底板上に重ね合わされ、後側板は、底板に対して折り線を介して略直角に折り曲げられてて、左、右内側板は折り線を介して後側板に対して略直角に折り曲げられ、
前記前側板は底板に対して折り線を介して略直角に折り曲げられて前記左、右外側板は、前記左、右内側板の外側に重ね合わされ、前記蓋板は前側板に対して折り線を介して略直角に折り曲げられる組立式収納箱において、
前記左、右内底板は、底板の１／２の大きさに形成されて、それらの何れか一方の一辺に雄部が、それらの他方の一辺にその雄部に嵌合可能な雌部がそれぞれ形成され、左、右内底板が、底板上に重ね合わされるとき、それらの一辺縁同士が衝き合わされて前記雄部と雌部とが相互に嵌合し、前記左、右内底板が分離しないようにされていることを特徴としている。
【０００７】
さらに、前記目的を達成するために、請求項３記載の考案は、前記請求項１または２記載のものにおいて、前記左、右内底板の、雄部あるいは雌部を含む前後幅は、前記底板の前後幅よりも短く形成されていることを特徴としている。
【考案の効果】
【０００８】
請求項各項記載の考案によれば、２重底を構成する、２枚の内底板の衝き合わせ端縁同士が、雄部と雌部との嵌合により結合されるので、２重底の底板の強度を一層高めることができ、収納箱内に物品を収容した場合に、内底板が分離することがなく、２重底よりなる底板の強度が損なわれることがない。
【０００９】
また、請求項２，３記載の考案によれば、組立式収納箱を一枚の板材から歩留りよく、低コストで作ることができる。
【考案を実施するための最良の形態】
【００１０】
本考案の実施の形態を、添付図面に例示した本考案の実施例に基づいて以下に具体的に説明する。
【００１１】
図１〜８には、本発明の第１実施例が示されており、この第１実施例は、本考案組立式収納箱を、ダンボール箱に実施した場合であり、図１は、組立式ダンボール箱の組み立て完了状態の一部破断斜視図、図２は、図１の２−２線に沿う断面図、図３は、図１の３−３線に沿う断面図、図４は、図２の４−４線に沿う断面図、図５は、組立式ダンボール箱の展開平面図、図５〜８は、組立式ダンボール箱の組立手順を示す斜視図である。
【００１２】
本考案にかかる組立式収納箱、すなわち組立式ダンボール箱は、一枚のダンボール板Ｐにより構成され、テープ、ファスナ、接着剤などの接続手段を用いることなく、図１に示すように、開閉可能な蓋板を有して直方体状に組み立てられ、特に、強度の要求される、底板、左、右側板がいずれも二重板であって、十分の強度を保有しており、ダンボール箱を構成するダンボール板Ｐは、一枚のダンボール原紙を所定の形状に裁断して作ることができる。
【００１３】
図５には、ダンボール箱を一平面の展開した状態が示されており、そのダンボール板Ｐは、その中央部に長方形状の底板１を有し、この底板１の相対向する前、後辺には折り線Ｂ２，Ｂ３を介して前側板２および後側板３がそれぞれ接続される。
【００１４】
前記前側板２の左、右辺には、折り線Ｂ４，Ｂ４を介して左、右内側板４，４がそれぞれ接続される。また、この前側板２の前辺には、底板１と同じ大きさの蓋板８が折り線Ｂ８を介して接続される。
【００１５】
また、前記後側板３の左、右辺には、折り線Ｂ５，Ｂ５を介して前記左、右内側板４，４と同じ左、右外側板５，５が接続される。また左、右内側板５，５の前辺には折り線Ｂ７，Ｂ７を介して左、右内底板７ｌ，７ｒが接続される。これらの内底板７ｌ，７ｒは、ダンボール箱の組立時に底板１上に左、右に並んで重ね合わされように、底板１の１／２の大きさにそれぞれ形成される。右内底板７ｒの一辺には、間隔をあけて一対のけら首状の雄部Ｍ，Ｍが一体に凸設されており、一方、左内底板７ｌの一辺には、前記雄部Ｍ，Ｍと同形状の一対の雌部Ｆ，Ｆが凹設されており、これらの雄部Ｍ，Ｍと雌部Ｆ，Ｆは、左、右内底板７ｌ，７ｒの一辺同士が衝合されるとき互いに嵌合して、左、右内底板７ｌ，７ｒを分離不能に接続することができる。
【００１６】
後側板３および左、右外側板５，５の後辺には、折り線Ｂ６ａおよびＢ６ｂ，Ｂ６ｂを介して中央フラップ６ａおよび左、右フラップ６ｂ，６ｂが接続される。
【００１７】
前記左、右内側板４，４および前記左、右外側板５，５には、長孔１０がそれぞれ開口され、それらの長孔１０は、ダンボール箱の組立時に一致して、人が指を差し込んで把持し得る把手孔Ｈ（図１参照）となる。
【００１８】
後側板３と中央フラップ６ａ間の折り線Ｂ６ａの中央部には、差込孔１１が開口され、また蓋板８の外縁の中央部には、その差込孔１１に抜差自在に差し込まれる差込舌片１２が外側に向けて一体に形成される。
【００１９】
つぎに、図５〜８を参照して、展開状態のダンボール板Ｐから、ダンボール箱を組み立てる手順について説明する。
【００２０】
(1) まず、展開状態のダンボール板Ｐを設置面上に置いたのち、図６に示すように、後側板３を折り線Ｂ３に沿って略直角に上方に折り曲げ、また、左、右内底板７ｌ，７ｒを内側に折り線Ｂ７，Ｂ７の沿って略直角に折り曲げ、左、右外側板５，５を折り線Ｂ５，Ｂ５に沿って内側すなわち底板１側に略直角に折り曲げる。
【００２１】
(2) 前記(1) の折り曲げにより、図６，７に示すように、左、右内底板７ｌ，７ｒは、底板１上に重ね合わされ、それらの内底板  ７ｌ，７ｒの一辺は衝き合わされて雄部Ｍ，Ｍと雌部Ｆ，Ｆとは相互に嵌合される。これにより、左、右内底板７ｌ，７ｒは、それらの一辺同士が一体に結合されて妄りに分離することがなく、底板１と内底板７ｌ，７ｒとで２重底となる。また、底板１の三方、すなわち左、右辺および後辺は、起立した左、右外側板５，５および後側板３により囲まれる。これにより、図７に示すように、ダンボール箱は、その前面および上面がいずれも開放状態となって、その前面および上面のいずれの側からもダンボール箱の２重底の底板内へ収納物Ｏの出入れを行なうことができる。
【００２２】
(3) つぎに、図８に示すように、左、右内側板４，４を折り線Ｂ４，Ｂ４に沿って内側に略直角に折り曲げて、これらを起立した左、右外側板５，５の内側に差し込みながら前側板２を蓋板８と共に折り線Ｂ２に沿って略直角に折り曲げれば、ダンボール箱は、その左、右側板は、内、外側板４，５により２重板となり、また長孔１０，１０は一致して、人が把持し得る把手孔Ｈとなり、ダンボール箱の前面を閉じることができる。
【００２３】
(4) 中央フラップ６ａおよび左、右フラップ６ｂ，６ｂをそれぞれ折り線Ｂ６ａおよびＢ６ｂ，Ｂ６ｂに沿って内側に折り曲げたのち、蓋板８を折り線Ｂ８に沿って内側に折り曲げれば、ダンボール箱の開放上面は閉じられる。差込舌片１２を、差込孔１１に差し込むことにより、図１に示すように、ダンボール箱の組み立てが終了する。
【００２４】
以上、一枚のダンボール板よりテープ、接着剤、ファスナなどを接続手段を一切必要とすることなく、組立、解体がきわめて簡単、容易なダンボール箱を提供することができ、しかも強度の要求される左、右側板および底板をいずれも２重板としたので、簡単な構造でありながらダンボール箱として必要を強度を保有させることができ、特に、左、右内底板７ｌ，７ｒは、それらの一辺同士が雄部Ｍ，Ｍと雌部Ｆ，Ｆとの嵌合により分離することなく結合され、底板を２重底としたまま、前面および上面の２面を開放して収納物の出入れを容易に行なうことができる。
【００２５】
以上のように、ダンボール箱を一枚の板材より、テープ、接着剤、ファスナーなどの接続手段を一切使用することなく、きわめて簡単容易に組み立てることができ、しかも組立、解体が容易であり、さらに解体によって素材を傷つけたり、損傷したりすることがないので、再利用が可能である。また、組み立て後に底板に切目ができることがなく、その切目を封緘するためのテープなどの止め手段が不要である。また、強度の要求される底板、左、右側板をいずれも２重板とすることができるので、組立の容易性と、材料の節減を図りながら、所望の強度をもつダンボール箱すなわち組立式収納箱を提供することができる。さらに、前面および上面を開放して前方および上方の２方向から２重底の底板上に物を載せることができ、ダンボール箱の強度を確保しながら物の出入れが容易である。
【００２６】
特に、左、右内底板７ｌ，７ｒは、雄部Ｍ，Ｍと雌部Ｆ，Ｆとの嵌合により一体に接続されて分離することがないので、２重底の底板の強度が一層高められる。
【００２７】
つぎに、図９，１０を参照して、本考案の第２実施例について説明する。
【００２８】
図９は、組立式ダンボール箱の展開平面図、図１０は、前記第１実施例の図７に対応するダンボール箱の組立途中の状態を示す図であり、前記第１実施例と同じものには同じ符号が付される。
【００２９】
この第２実施例は、前側板２の左、右辺に折り線Ｂ５，Ｂ５介して左、右外側板５，５を接続し、後側板３の左、右辺に折り線Ｂ４，Ｂ４介して左、右内側板４，４を接続した点で、前記第１実施例と相違し、左、右外側板５，５に接続される左、右内底板７ｌ，７ｒの一辺には、一つの雌部Ｆと一つの雄部Ｍがそれぞれ形成され、それらの雄部Ｍと雌部Ｆとは、互いに嵌合可能な鳩尾形状に形成される。また、この第２実施例では、左、右内側板４，４および後側板３に接続されるフラップ６ａ，６ｂ，６ｂを、前記第１実施例のものよりも幅狭に形成すると共に左、右外側板５，５の一辺に折線Ｂ９，Ｂ９を介して他のフラップ９，９が接続される。そして、その他のフラップ９，９は、底板１の略１／２の大きさに形成されている。
【００３０】
図１０に示すように、左、右内底板７ｌ，７ｒは、底板１上に重ね合わされて２重底を形成し、一つの雄部Ｍと雌部Ｆとは、互いに嵌合して分離しないように接続される。また、前記他のフラップ９，９は、ダンボール箱の組立時に、その上面の出入口を閉じ、蓋板８とで２重蓋板となり、蓋板の強度を高める。
【００３１】
しかして、この第２実施例のものも、前記第１実施例のものと同じ機能を有する。
【００３２】
また、この第２実施例のものは、フラップ６ａ，６ｂ，６ｂを前記第１実施例のものよりも幅狭に形成したので、前記第１実施例のものよりも若干小面積のダンボール原紙によりダンボール板Ｐを裁断することができ、しかも、フラップ９，９は、スクラップとなる部分を利用して形成できるので、第１実施例のものよりも製作コストが低減される。
【００３３】
以上、本考案の実施例について説明したが、本考案はその実施例に限定されることなく、本考案の範囲内で種々の実施例が可能である。
【００３４】
たとえば、前記実施例では、本考案組立式収納箱を、ダンボール板よりなるダンボール箱とした場合について説明したが、これを他の紙板、合成樹脂板、木板など他の板材により構成してもよいことは勿論である。
【図面の簡単な説明】
【００３５】
【図１】組立式ダンボール箱の組み立て完了状態の一部破断斜視図
【図２】図１の２−２線に沿う断面図
【図３】図１の３−３線に沿う断面図
【図４】図２の４−４線に沿う断面図
【図５】組立式ダンボール箱の展開平面図
【図６】組立式ダンボール箱の組立手順を示す斜視図
【図７】組立式ダンボール箱の組立手順を示す斜視図
【図８】組立式ダンボール箱の組立手順を示す斜視図
【図９】本考案の第２実施例に係る、図５に対応する組立式ダンボール箱の展開平面図
【図１０】本考案の第２実施例に係る、図７に対応する組立手順を示す斜視図
【符号の説明】
【００３６】
１・・・・・・・・・底板
２・・・・・・・・・前側板
３・・・・・・・・・後側板
４・・・・・・・・・内側板
５・・・・・・・・・外側板
７ｌ，７ｒ・・・・・内底板
８・・・・・・・・・蓋板
Ｐ・・・・・・・・・ダンボール板（板材）
Ｂ２・・・・・・・・・折り線
Ｂ３・・・・・・・・・折り線
Ｂ４・・・・・・・・・折り線
Ｂ５・・・・・・・・・折り線
Ｂ７・・・・・・・・・折り線
Ｂ８・・・・・・・・・折り線
Ｍ・・・・・・・・・・雄部
Ｆ・・・・・・・・・・雌部
【図１】
0003142249.tif 000003
【図２】
0003142249.tif 000004
【図３】
0003142249.tif 000005
【図４】
0003142249.tif 000006
【図５】
0003142249.tif 000007
【図６】
0003142249.tif 000008
【図７】
0003142249.tif 000009
【図８】
0003142249.tif 000010
【図９】
0003142249.tif 000011
【図１０】
0003142249.tif 000012